(57)【要約】【課題】巻取り時に、フラットケーブルが巻取り器筐体の外に残らないようにする。【解決手段】移動体の電気装置に一端が配線されたフラットケーブル３を巻き取る巻き芯を巻取り器筐体内に備えていて、移動体の移動に追従して巻取り器筐体からの引き出しと巻取り器筐体内への引き戻しとを行い得るようになっている。巻取り器筐体からフラットケーブル３を外に引き出したときに巻き芯の外周に巻回されているフラットケーブル３の巻回数と、引き出されたフラットケーブル３を巻取り器筐体の中に引き戻したときに巻き芯の外周に巻回されているフラットケーブル３の巻回数とが同じになっている。フラットケーブル３は最外層のターンが巻き芯の径方向における巻取り器筐体の内壁に接触する前に内側の層の各ターンが拡径されるように内側の層のフラットケーブルの部分に拡径手段６を設ける。【選択図】  図２
2004173379.tif 000002
【特許請求の範囲】
【請求項１】
移動体の電気装置に一端が配線されたフラットケーブルを巻き取る巻き芯を巻取り器筐体内に備えていて、前記移動体の移動に追従して前記巻取り器筐体からの引き出しと前記巻取り器筐体内への引き戻しとを行い得るようになっており、前記巻取り器筐体から前記フラットケーブルを外に引き出したときに前記巻き芯の外周に巻回されている前記フラットケーブルの巻回数と、引き出された前記フラットケーブルを前記巻取り器筐体の中に引き戻したときに前記巻き芯の外周に巻回されている前記フラットケーブルの巻回数とが同じになるように構成されているフラットケーブル巻取り器において、
前記フラットケーブルは最外層のターンが前記巻き芯の径方向における前記巻取り器筐体の内壁に接触する前に内側の層の各ターンが拡径されるように内側の層の前記フラットケーブルの部分に拡径手段が設けられていることを特徴とするフラットケーブル巻取り器。
【請求項２】
移動体の電気装置に一端が配線されたフラットケーブルを巻き取る巻き芯を巻取り器筐体内に備えていて、前記移動体の移動に追従して前記巻取り器筐体からの引き出しと前記巻取り器筐体内への引き戻しとを行い得るようになっており、前記巻取り器筐体から前記フラットケーブルを外に引き出したときに前記巻き芯の外周に巻回されている前記フラットケーブルの巻回数と、引き出された前記フラットケーブルを前記巻取り器筐体の中に引き戻したときに前記巻き芯の外周に巻回されている前記フラットケーブルの巻回数とが同じになるように構成されているフラットケーブル巻取り器において、
前記フラットケーブルはその幅が、最外層よりも内側の層の方を狭くして構成されていることを特徴とするフラットケーブル巻取り器。
【請求項３】
移動体の電気装置に一端が配線されたフラットケーブルを巻き取る巻き芯を巻取り器筐体内に備えていて、前記移動体の移動に追従して前記巻取り器筐体からの引き出しと前記巻取り器筐体内への引き戻しとを行い得るようになっており、前記巻取り器筐体から前記フラットケーブルを外に引き出したときに前記巻き芯の外周に巻回されている前記フラットケーブルの巻回数と、引き出された前記フラットケーブルを前記巻取り器筐体の中に引き戻したときに前記巻き芯の外周に巻回されている前記フラットケーブルの巻回数とが同じになるように構成されているフラットケーブル巻取り器において、
前記フラットケーブルはその厚さが、最外層よりも内側の層の方を厚くして構成されていることを特徴とするフラットケーブル巻取り器。
【発明の詳細な説明】
【０００１】
【発明の属する技術分野】
本発明は、電気機器のカバーや自動車のドアのような移動体の電気装置に一端が配線されたフラットケーブルが、巻取り器筐体内の巻き芯の外周に巻回されていて、移動体の移動に追従して巻取り器筐体の外に引き出され、巻取り器筐体の中に引き戻しができるようになっているフラットケーブル巻取り器に関するものである。
【０００２】
【従来の技術】
電気機器や自動車等の電気配線にフラットケーブルが用いられるようになってきている。フラットケーブルは、平行に並設された銅やアルミニウム等の帯状導体よりなるフラット導体が、ポリエチレンテレフタレートの如きプラスチックよりなるフラット絶縁被覆で一括被覆された構造になつている。
【０００３】
このようなフラットケーブルは、自動車のラゲッジドアやスライドドア等の移動体への給電用等の配線体として利用される場合もある。
【０００４】
この場合には、移動体の電気装置に一端が配線されたフラットケーブルの他端側が、巻取り器筐体内の巻き芯の外周に巻き取られていて、移動体の移動に追従して巻取り器筐体の外に引き出され、巻取り器筐体の中に引き戻しができるようになっているフラットケーブル巻取り器が用いられる。
【０００５】
このフラットケーブル巻取り器としては、巻取り器筐体内からフラットケーブルを引き出す時に巻き芯を回転しつつコイルバネを蓄勢し、フラットケーブルを巻取り器筐体の中に引き戻す時にコイルバネで蓄勢された巻き芯を逆回転してフラットケーブルを巻き取っている（例えば、特許文献１参照。）。
【０００６】
しかしながら、このようなフラットケーブル巻取り器では、巻き芯を回転するコイルバネを必要とし、構造が複雑化し、またコイルバネが故障した時にはフラットケーブルの巻取りができなくなる問題点がある。
【０００７】
このような問題点を解決するフラットケーブル巻取り器として、出願人は図１３乃至図１５に示すように、巻取り器筐体１内に巻き芯２を固定状態で配置し、この巻き芯２の外周にフラットケーブル３を渦巻状に巻き付け、巻取り器筐体１の外に引き出されときのフラットケーブル３の巻き芯２の外周に対する巻回数と、巻取り器筐体１の中に引き戻されときのフラットケーブル３の巻き芯２の外周に対する巻回数とが同じになっていて、フラットケーブル３を巻取り器筐体１の中に引き戻すときには巻き芯２の外周に小さな半径で巻き付いている該フラットケーブル３の弾性で該フラットケーブル３の巻き径が図１３に示すように矢印Ｂ方向に大きくなる力を利用して、各ターンのフラットケーブル３の巻き径が大きくなるにつれて各ターンのフラットケーブル３の周長が長くなり、これにより各ターンのフラットケーブル３が矢印Ｃ方向に移動し、巻取り器筐体１の外のフラットケーブル３が矢印Ａ方向に該巻取り器筐体１の中に引き込まれ、巻き取りを行うようになっている構造のものを提案した（特願２００２−２５０８５７号）。
【０００８】
フラットケーブル３は、図１６に示すように、平行に並設された銅やアルミニウム等の帯状導体よりなるフラット導体４が、ポリエチレンテレフタレートの如きプラスチックよりなるフラット絶縁被覆５で一括被覆された構造になつている。
【０００９】
このようなフラットケーブル巻取り器は、コイルバネ等の巻取り駆動源を必要としないで、渦巻き状に巻かれた各ターンのフラットケーブル３の各ターンの拡径力によって巻取りを行うことができる。
【００１０】
【特許文献１】
特開平１１−２６１３０号公報（図１）
【００１１】
【発明が解決しようとする課題】
しかしながら、コイルバネ等の巻取り駆動源を必要としない図１３〜図１５に示すフラットケーブル巻取り器では、フラットケーブル３の弾性で該フラットケーブル３の巻き径が図１３に示すように矢印Ｂ方向に大きくなる力を利用して巻取り器筐体１内へのフラットケーブル３の巻取りを行っているので、渦巻状のフラットケーブル３の各ターンの広面相互間の摩擦力が隣接するターンの相互間で作用し、また巻取り器筐体１がその対向する広面の何れか一方を下にして水平向きに置かれて使用された場合、各ターンのフラットケーブル３の幅方向の端面と巻取り器筐体１の下側広面との摩擦力が各ターンのフラットケーブル３に作用し、フラットケーブル３の内側の層のターンの径方向の拡がりにブレーキがかかる。このため、フラットケーブル３は最外層のターンが巻き芯２の径方向における巻取り器筐体１の内壁に接触する状態になっても、内側の層の各ターンが拡径方向に十分に拡がらず、このためフラットケーブル３の巻取り器筐体１内への引き込みが不十分になり、フラットケーブル３が巻取り器筐体１の外に残ってしまう問題点があった。
【００１２】
本発明の目的は、巻取り時に、フラットケーブルが巻取り器筐体の外に残ってしまうのを防止できるフラットケーブル巻取り器を提供することにある。
【００１３】
本発明の他の目的は、フラットケーブルと巻取り器筐体との摩擦抵抗を減らすことにより、巻取り時に、フラットケーブルが巻取り器筐体の外に残ってしまうのを防止できるフラットケーブル巻取り器を提供することにある。
【００１４】
本発明の他の目的は、渦巻状をなすフラットケーブルの内側の層の拡径力を増加させて、巻取り時に、フラットケーブルが巻取り器筐体の外に残ってしまうのを防止できるフラットケーブル巻取り器を提供することにある。
【００１５】
【課題を解決するための手段】
本発明は、移動体の電気装置に一端が配線されたフラットケーブルを巻き取る巻き芯を巻取り器筐体内に備えていて、移動体の移動に追従して巻取り器筐体からの引き出しと巻取り器筐体内への引き戻しとを行い得るようになっており、巻取り器筐体からフラットケーブルを外に引き出したときに巻き芯の外周に巻回されているフラットケーブルの巻回数と、引き出されたフラットケーブルを巻取り器筐体の中に引き戻したときに巻き芯の外周に巻回されているフラットケーブルの巻回数とが同じになるように構成されているフラットケーブル巻取り器を対象とする。
【００１６】
本発明に係るフラットケーブル巻取り器では、フラットケーブルは最外層のターンが巻き芯の径方向における巻取り器筐体の内壁に接触する前に内側の層の各ターンが拡径されるように内側の層のフラットケーブルの部分に拡径手段が設けられていることを特徴とする。
【００１７】
このようなフラットケーブル巻取り器によれば、内側の層のフラットケーブルの部分に拡径手段が設けられているので、内側の層のフラットケーブルの部分が摩擦抵抗に打ち勝って、フラットケーブルの最外層のターンが巻き芯の径方向における巻取り器筐体の内壁に接触する状態になる前に十分に径方向に拡がる。このため、巻取り器筐体内へのフラットケーブルの引き込みが十分に行われ、巻取り時に、フラットケーブルが巻取り器筐体の外に残ってしまうのを防止することができる。
【００１８】
また、本発明に係るフラットケーブル巻取り器では、フラットケーブルはその幅が、最外層よりも内側の層の方を狭くして構成されていることを特徴とする。
【００１９】
このようなフラットケーブル巻取り器によれば、フラットケーブルはその幅を、最外層よりも内側の層の方を狭くしているので、このフラットケーブルの幅の狭さにより、渦巻状のフラットケーブルの各ターンの広面相互間の摩擦力が隣接するターンの相互間で小さくなり、また巻取り器筐体がその対向する広面の何れか一方を下にして水平向きに置かれて使用された場合、各ターンのフラットケーブルの幅方向の端面と巻取り器筐体の下側広面との摩擦力が小さくなり、フラットケーブルの最外層のターンが巻き芯の径方向における巻取り器筐体の内壁に接触する状態になる前に内側の層のフラットケーブルの部分が十分に径方向に拡がる。このため、巻取り器筐体内へのフラットケーブルの引き込みが十分に行われ、巻取り時に、フラットケーブルが巻取り器筐体の外に残ってしまうのを防止することができる。
【００２０】
また、本発明に係るフラットケーブル巻取り器では、フラットケーブルはその厚さが、最外層よりも内側の層の方を厚くして構成されていることを特徴とする。
【００２１】
このようなフラットケーブル巻取り器によれば、フラットケーブルはその厚さを、最外層よりも内側の層の方を厚くしているので、このフラットケーブルの厚みの増加により、該フラットケーブルが径方向に拡がろうとする力が摩擦抵抗に打ち勝って強くなり、フラットケーブルの最外層のターンが巻き芯の径方向における巻取り器筐体の内壁に接触する状態になる前に内側の層のフラットケーブルの部分が十分に径方向に拡がる。このため、巻取り器筐体内へのフラットケーブルの引き込みが十分に行われ、巻取り時に、フラットケーブルが巻取り器筐体の外に残ってしまうのを防止することができる。
【００２２】
【発明の実施の形態】
本発明の対象となるフラットケーブル巻取り器は、前述した図１３乃至図１５に示すように、巻取り器筐体１内に巻き芯２を固定状態で配置し、この巻き芯２の外周にフラットケーブル３を渦巻状に巻き付け、巻取り器筐体１の外に引き出されときのフラットケーブル３の巻き芯２の外周に対する巻回数と、巻取り器筐体１の中に引き戻されときのフラットケーブル３の巻き芯２の外周に対する巻回数とが同じになっていて、フラットケーブル３を巻取り器筐体１の中に引き戻すときには巻き芯２の外周に小さな半径で巻き付いている該フラットケーブル３の弾性で該フラットケーブル３の巻き径が図１３に示すように矢印Ｂ方向に大きくなる力を利用して、各ターンのフラットケーブル３の巻き径が大きくなるにつれて各ターンのフラットケーブル３の周長が長くなり、これにより各ターンのフラットケーブル３が矢印Ｃ方向に移動し、巻取り器筐体１の外のフラットケーブル３が矢印Ａ方向に該巻取り器筐体１の中に引き込まれ、巻き取りを行うようになっている。
【００２３】
従って、フラットケーブル３の巻取り器筐体１内への引込み力（戻り力）は、フラットケーブル３の矢印Ｂ方向への拡がり力（拡径力）に依存している。
【００２４】
一般に、厚さｔの板材が半径Ｒで渦巻状に巻かれているとき、板材が戻ろうとする張力Ｔは、
Ｔ＝ｋ・ｔ３  ／Ｒ２                                          …（１）
で表すことができる。ここで、ｋは定数である。
【００２５】
この（１）式は、図１乃至図４に示す本発明に係る第１例〜第３例のフラットケーブル巻取り器に適用した場合、フラット導体４の厚さｔが一定であれば、巻き径Ｒが小さいほど巻き径を拡げようとする力、即ちフラットケーブル３を巻取り器筐体１内に引込もうとする戻り力Ｔが強いことを表している。
【００２６】
また、このフラットケーブル巻取り器のもつ張力（戻り力）Ｔと長さＬのフラットケーブル３を引込むのに必要な張力の関係は、本発明で対象とするフラットケーブル巻取り器の例として示した図１７に示す通りであって、図１８において、フラットケーブル３がＬ０  の長さまで繰り出され、フラットケーブル３が永久変形を受けない最小巻き半径Ｒ０  となった状態から、図１９に示すようにフラットケーブル３が矢印で示されるように巻き径をＲ１  に拡げながら巻取り器筐体１内に引入れるまでの過程で、引込むべきフラットケーブル３の長さＬと張力（戻り力）Ｔとの実際の関係は、図１７の曲線Ｃ２  で表される。
【００２７】
即ち、巻取り器筐体１内に引込むべきフラットケーブル３が長い場合には、図１８に示すようにフラットケーブル３は巻き芯２に最小巻き半径Ｒ０  で巻き込まれているので、その戻り力Ｔは曲線Ｃ２  の先端側のように非常に強いが、図１９のようにフラットケーブル３が巻き戻されるにつれてその戻り力Ｔは漸減していく。
【００２８】
一方、長さＬのフラットケーブル３を引込むのに必要なフラットケーブル３の単位長さ当たりの重量を考慮した理論上の張力Ｔは、図１７の直線Ｃ１  のように表される。即ち、直線Ｃ１  は、
Ｔ＝Ｍ・×Ｌ＋ｂ
ここで、Ｍは単位長さ当たりのフラットケーブル３を移動させるに要する力を張力に換算したものであり、ｂは巻取り器筐体１のフラットケーブル導入部に設けられた保護チューブとフラットケーブル３の移動時の摩擦抵抗を張力に換算したものである。
【００２９】
この直線Ｃ１  よりも曲線Ｃ２  の方がフラットケーブル３の引出し長Ｌの全ての領域で高くなければ、引出されたフラットケーブル３を全て引込むことができない。
【００３０】
本発明は、図１７におけるフラットケーブル３の戻り特性である曲線Ｃ２  を上方に引上げ、引出されたフラットケーブル３の全長に亘って安定した戻し張力が得られるように工夫されたものである。
【００３１】
図１及び図２は本発明に係るフラットケーブル巻取り器の実施の形態の第１例を示したもので、図１はフラットケーブルが渦巻状に巻かれた状態の斜視図、図２は本例で用いているフラットケーブルの展開状態の部分平面図である。
【００３２】
本例のフラットケーブル巻取り器は、フラットケーブル３は外側の層ｇのうちの最外層のターンが図１５に示すように巻き芯２の径方向における巻取り器筐体１の内壁に接触する前に内側の層ｎの各ターンが拡径されるように内側の層ｎのフラットケーブル３の部分に、該フラットケーブル３自身で構成された拡径手段６が設けられている。本例の拡径手段６は、内側の層ｎのフラットケーブル３の部分の幅ＷをＷ１  ＞Ｗ２  ＞Ｗ３  で示すように連続的に狭くして構成されている。即ち、本例ではフラットケーブル３の内側の層ｎの幅を、その幅方向の両端をテーパ状に連続的に狭くしている。
【００３３】
このようなフラットケーブル巻取り器によれば、内側の層ｎのフラットケーブル３の部分に、該フラットケーブル３自身で構成された拡径手段６が設けられているので、内側の層ｎのフラットケーブル３の部分が摩擦抵抗に打ち勝って、フラットケーブル３の外側の層ｇのうちの最外層のターンが巻き芯２の径方向における巻取り器筐体１の内壁に接触する状態になる前に十分に径方向に拡がる。このため、巻取り器筐体１内へのフラットケーブル３の引き込みが十分に行われ、巻取り時に、フラットケーブル３が巻取り器筐体１の外に残ってしまうのを防止することができる。
【００３４】
特に、本例のように、内側の層ｎのフラットケーブル３の部分に、該内側の層ｎのフラットケーブル３の部分の幅を狭くして構成した拡径手段６が設けられていると、このフラットケーブル３の幅の狭さにより、渦巻状のフラットケーブル３の各ターンの広面相互間の摩擦力が隣接するターンの相互間で小さくなり、また巻取り器筐体１がその対向する広面の何れか一方を下にして水平向きに置かれて使用された場合、各ターンのフラットケーブル３の幅方向の端面と巻取り器筐体１の下側広面との摩擦力が小さくなり、フラットケーブル３の外側の層ｇのうちの最外層のターンが巻き芯２の径方向における巻取り器筐体１の内壁に接触する状態になる前に内側の層のフラットケーブル３の部分が十分に径方向に拡がる。このため、巻取り器筐体１内へのフラットケーブル３の引き込みが十分に行われ、巻取り時に、フラットケーブル３が巻取り器筐体１の外に残ってしまうのを防止することができる。
【００３５】
図３及び図４は本発明に係るフラットケーブル巻取り器の実施の形態の第２例及び第３例で用いているフラットケーブルの展開状態の部分平面図である。
【００３６】
図３に示す第２例のフラットケーブル巻取り器では、フラットケーブル３の内側の層ｎに設ける拡径手段６は、内側の層ｎのフラットケーブル３の部分の幅Ｗが＞Ｗ２  ＞Ｗ３  で示すように段階的に狭くして構成されている。即ち、本例では、内側の層ｎのフラットケーブル３の部分の幅Ｗを、内側の層ｎの始まりの位置ではある長さで幅Ｗ１  とし、次の位置ではある長さで幅Ｗ２  とし、次の位置ではある長さで幅Ｗ３  としている。
【００３７】
図４に示す第３例のフラットケーブル巻取り器では、フラットケーブル３の内側の層ｎに設ける拡径手段６は、内側の層ｎのフラットケーブル３の部分の幅ＷがＷ１  ＞Ｗ２  で示すように部分的に狭くして構成されている。この場合、内側の層ｎの巻き芯２に近付くほど、部分的に幅をＷ２  に狭くした部分の間の通常の幅Ｗ１  の部分の長さを短くしている。あるいは、内側の層ｎの巻き芯２に近付くほど、部分的に幅をＷ２  に狭くした部分の長さを長くしてもよい。
【００３８】
このようにしても第１例と同様の効果を得ることができる。
【００３９】
実際に、下記に示す寸法のフラットケーブル３を使用して本発明による構造とし、フラットケーブル３の戻り力を測定したところ、従来の構造に比べ平均して約１２％の張力増加が確認された。
【００４０】
フラットケーブル３の寸法：フラット導体５は２芯、フラット導体５の厚さ０．１５ｍｍ、フラット導体５の幅１．５  ｍｍ、フラットケーブル３の幅６．４  ｍｍ、フラットケーブル３の耳部絶縁幅１．２  ｍｍ、フラット導体５の配列ピッチ２．５  ｍｍ
フラットケーブル３の幅トリミング法：内側の層ｎの幅を図２に示すように漸次トリミングする方法で、外側の層ｇの幅６．４  ｍｍに対して内側の層ｎの幅を最小幅４．４  ｍｍまでに減じたもの
最大フラットケーブル引出し長さ：３００  ｍｍ
図５乃至図１２は本発明に係るフラットケーブル巻取り器の実施の形態の第４例乃至第７例を示したもので、図５はフラットケーブルをフラットケーブル巻取り器に引込むのに必要な張力とフラットケーブルの長さとの関係を示す特性図、図６は第４例のフラットケーブル巻取り器でのフラットケーブルの姿を示す斜視図、図７は第４例のフラットケーブル巻取り器の横断平面図、図８は図７で最外層のフラットケーブルが内層のフラットケーブルより早く拡径された状態を示す横断平面図、図９乃至図１２は本発明に係るフラットケーブル巻取り器の実施の形態の第４例乃至第７例で用いているフラットケーブルの展開状態の部分側面図或いは部分縦断面図である。
【００４１】
前述した（１）式は、第４例乃至第７例のフラットケーブル巻取り器に適用した場合、ある巻き径においてフラット導体４の厚さｔが厚いほど、巻き径を拡げようとする力、即ち、フラットケーブル３を巻取り器筐体１内に引込もうとする張力（戻り力）が強くなることを表している。
【００４２】
また、この例のフラットケーブル巻取り器のもつ張力（戻り力）Ｔと、厚さが一定で長さＬのフラットケーブル３を引込むのに必要な張力の関係は、図５に示す通りであって、図１８において、フラットケーブル３がＬ０  の長さまで繰り出され、フラットケーブル３が永久変形を受けない最小巻き半径Ｒ０  となった状態から、図１９に示すようにフラットケーブル３が矢印で示されるように巻き径を拡げながら巻取り器筐体１内に引入れるまでの過程で、引込むべきフラットケーブル３の長さＬと張力（戻り力）Ｔとの実際の関係は、図５の曲線Ｃ２  で表される。
【００４３】
この時、最外層のフラットケーブル３が早い時点で巻き芯２の径方向における巻取り器筐体１の内壁に図８に示すように当接してしまうと、引取り力がさらに激減してしまう現象を呈する。
【００４４】
一方、長さＬのフラットケーブル３を引込むのに必要なフラットケーブル３の単位長さ当たりの重量を考慮した理論上の張力Ｔは、図５の直線Ｃ１  のように表される。
【００４５】
この直線Ｃ１  よりも曲線Ｃ２  の方がフラットケーブル３の引出し長Ｌの全ての領域で高くなければ、引出されたフラットケーブル３を全て引込むことができない。
【００４６】
本例のフラットケーブル巻取り器では、フラット導体４の厚さｔを外側の層ｇの厚さｔ１  に比べて内側の層ｎの厚さｔ２  を厚くしたところ、巻き径を拡げようとする力、即ち、フラットケーブル３を巻取り器筐体１内に引込もうとする張力（戻り力）が強くなり、曲線Ｃ３  が曲線Ｃ２  より上に位置し、引き出されたフラットケーブル３の全長に亘って一層安定した戻し張力が得られるようになった。
【００４７】
第４例乃至第７例のフラットケーブル巻取り器で用いているフラットケーブルも、最外層のターンが巻き芯２の径方向における巻取り器筐体１の内壁に接触する前に内側の層ｎの各ターンが拡径されるように内側の層のフラットケーブル３の部分に拡径手段６が設けられている。
【００４８】
第４例のフラットケーブル巻取り器で用いている図９に示すフラットケーブル３は、渦巻き状の内側の層ｎのフラットケーブル３の部分がフラットケーブル３を２層、連続して重ねて接着等で固定され、外側の層ｇのフラットケーブル３の部分のフラット導体４の厚さｔ１  に比べて内側の層ｎのフラットケーブル３の部分のフラット導体４の厚さｔ２  が連続して厚くなっている。
【００４９】
このようになっていると、内側の層ｎのフラットケーブル３の部分が摩擦抵抗に打ち勝って、フラットケーブル３の外側の層ｇのうちの最外層のターンが巻き芯２の径方向における巻取り器筐体１の内壁に接触する状態になる前に十分に径方向に拡がる。このため、巻取り器筐体１内へのフラットケーブル３の引き込みが十分に行われ、巻取り時に、フラットケーブル３が巻取り器筐体１の外に残ってしまうのを防止することができる。
【００５０】
第５例のフラットケーブル巻取り器で用いている図１０に示すフラットケーブル３は、渦巻き状の内側の層ｎのフラットケーブル３の部分にフラットケーブル３が２層、長手方向に簡潔的に重ねて接着等で固定され、外側の層ｇのフラットケーブル３の部分のフラット導体４の厚さｔ１  に比べて内側の層ｎのフラットケーブル３の部分のフラット導体４の厚さｔ２  を長手方向に部分的に厚くしている。
【００５１】
このような構造でも、第４例と同様な効果を得ることができる。
【００５２】
第６例のフラットケーブル巻取り器で用いている図１１に示すフラットケーブル３は、渦巻き状の内側の層ｎのフラットケーブル３の部分にフラット導体４が２層、長手方向に連続して重ねてスポット溶接等で固定され、外側の層ｇのフラットケーブル３の部分のフラット導体４の厚さｔ１  に比べて内側の層ｎのフラットケーブル３の部分のフラット導体４の厚さｔ２  を連続的に厚くしている。これらフラット導体４はフラット絶縁被覆５で一括して被覆されている。
【００５３】
このような構造でも、第４例と同様な効果を得ることができる。
【００５４】
第７例のフラットケーブル巻取り器で用いている図１２に示すフラットケーブル３は、渦巻き状の内側の層ｎのフラットケーブル３の部分にフラット導体４が２層、次に位置をずらせて３層、長手方向に連続して重ねてスポット溶接等で固定され、外側の層ｇのフラットケーブル３の部分のフラット導体４の厚さｔ１  に比べて内側の層ｎのフラットケーブル３の部分のフラット導体４の厚さｔ２  を段階的に順次厚くしている。これらフラット導体４はフラット絶縁被覆５で一括して被覆されている。
【００５５】
このような構造でも、第４例と同様な効果を得ることができる。
【００５６】
なお、フラット導体４はその製造過程で、幅を一定にして、厚みを変えて製造することもできる。
【００５７】
実際のフラットケーブル３の構造では、材料費が安価なものが望ましく、重ねるフラットケーブル３やフラット導体４の代わりに容易にクリープを生じない金属材料を選んでもよく、実験によれば実際にフラットケーブル３の厚さを増すのは、少なくとも最内層の１〜２層部分で十分な効果が得られている。
【００５８】
実際に、下記に示す寸法のフラットケーブル３を使用して本発明による構造とし、フラットケーブル３の戻り力を測定したところ、従来の構造に比べ平均して約２２％の張力増加が確認された。また、８０℃の高温雰囲気中での繰返し引出し、引込み実験では、従来のフラットケーブル３の構造では、図５において引込みに必要な張力直線を引込み途中で下回り、引込みができないケースが生じたが、本発明による構造では、安定した引込みが行われることが確認された。
【００５９】
フラットケーブル３の寸法：フラット導体５は２芯、フラット導体５の厚さ０．１５ｍｍ、フラット導体５の幅１．５  ｍｍ、フラットケーブル３の幅６．４  ｍｍ、フラットケーブル３の耳部絶縁幅１．２  ｍｍ、フラット導体５の配列ピッチ２．５  ｍｍ
フラット導体５の厚さ増加方法：内側の層ｎのフラットケーブル３の最内層から１．５  層まで、上記のフラットケーブル３を重ねて貼り付けた
最大フラットケーブル引出し長さ：３００  ｍｍ
巻取り器筐体１内のフラットケーブル３の巻き数：５層
このフラットケーブル３の厚さを、最外層よりも内側の層の方を厚くして拡径手段６を構成するタイプにおいては、フラット絶縁被覆５が弾性をもつ材料で形成されている場合には、このフラット絶縁被覆５の厚みを厚くして拡径手段６を構成することもできる。
【００６０】
なお、図２〜図４に示すタイプのフラットケーブル３においては、巻取り器筐体１がその広面を水平向きにして設置する場合には、該フラットケーブル３で上側となる幅方向の端面には幅を狭くする加工を施さなくてもよい場合がある。この場合、フラットケーブル３の幅方向の両端に幅を狭くする加工を施してもよいことは勿論である。
【００６１】
また、フラットケーブル３には、前述した２つのタイプを併用することもできる。
【００６２】
【発明の効果】
本発明に係るフラットケーブル巻取り器では、内側の層のフラットケーブルの部分に拡径手段が設けられているので、内側の層のフラットケーブルの部分が摩擦抵抗に打ち勝って、フラットケーブルの最外層のターンが巻き芯の径方向における巻取り器筐体の内壁に接触する状態になる前に十分に径方向に拡がる。このため、巻取り器筐体内へのフラットケーブルの引き込みが十分に行われ、巻取り時に、フラットケーブルが巻取り器筐体の外に残ってしまうのを防止することができる。
【００６３】
また、本発明に係るフラットケーブル巻取り器では、フラットケーブルはその幅を、最外層よりも内側の層の方を狭くしているので、このフラットケーブルの幅の狭さにより、渦巻状のフラットケーブルの各ターンの広面相互間の摩擦力が隣接するターンの相互間で小さくなり、また巻取り器筐体がその対向する広面の何れか一方を下にして水平向きに置かれて使用された場合、各ターンのフラットケーブルの幅方向の端面と巻取り器筐体の下側広面との摩擦力が小さくなり、フラットケーブルの最外層のターンが巻き芯の径方向における巻取り器筐体の内壁に接触する状態になる前に内側の層のフラットケーブルの部分が十分に径方向に拡がる。このため、巻取り器筐体内へのフラットケーブルの引き込みが十分に行われ、巻取り時に、フラットケーブルが巻取り器筐体の外に残ってしまうのを防止することができる。
【００６４】
また、本発明に係るフラットケーブル巻取り器では、フラットケーブルはその厚さを、最外層よりも内側の層の方を厚くしているので、このフラットケーブルの厚みの増加により、該フラットケーブルが径方向に拡がろうとする力が摩擦抵抗に打ち勝って強くなり、フラットケーブルの最外層のターンが巻き芯の径方向における巻取り器筐体の内壁に接触する状態になる前に内側の層のフラットケーブルの部分が十分に径方向に拡がる。このため、巻取り器筐体内へのフラットケーブルの引き込みが十分に行われ、巻取り時に、フラットケーブルが巻取り器筐体の外に残ってしまうのを防止することができる。
【図面の簡単な説明】
【図１】本発明に係るフラットケーブル巻取り器の実施の形態の第１例でのフラットケーブルが渦巻状に巻かれた状態の斜視図である。
【図２】第１例で用いているフラットケーブルの展開状態の部分平面図である。
【図３】本発明に係るフラットケーブル巻取り器の実施の形態の第２例で用いているフラットケーブルの展開状態の部分平面図である。
【図４】本発明に係るフラットケーブル巻取り器の実施の形態の第３例で用いているフラットケーブルの展開状態の部分平面図である。
【図５】本発明に係るフラットケーブル巻取り器の第２のタイプで、フラットケーブルをフラットケーブル巻取り器に引込むのに必要な張力とフラットケーブルの長さとの関係を示す特性図である。
【図６】本発明に係るフラットケーブル巻取り器の実施の形態の第４例でのフラットケーブルの姿を示す斜視図である。
【図７】この第４例のフラットケーブル巻取り器の横断平面図である。
【図８】図７で最外層のフラットケーブルが内層のフラットケーブルより早く拡径された状態を示す横断平面図である。
【図９】本発明に係るフラットケーブル巻取り器の実施の形態の第４例で用いているフラットケーブルの展開状態の部分側面図である。
【図１０】本発明に係るフラットケーブル巻取り器の実施の形態の第５例で用いているフラットケーブルの展開状態の部分側面図である。
【図１１】本発明に係るフラットケーブル巻取り器の実施の形態の第６例で用いているフラットケーブルの展開状態の部分縦断面図である。
【図１２】本発明に係るフラットケーブル巻取り器の実施の形態の第７例で用いているフラットケーブルの展開状態の部分縦断面図である。
【図１３】本発明の対象とするフラットケーブル巻取り器での渦巻状フラットケーブルの引込み過程を示す横断平面図である。
【図１４】本発明の対象とするフラットケーブル巻取り器でフラットケーブルを引出した状態を示す横断平面図である。
【図１５】本発明の対象とするフラットケーブル巻取り器でフラットケーブルを巻取った状態を示す横断平面図である。
【図１６】図１３〜図１５で用いているフラットケーブルの展開状態の部分平面図である。
【図１７】本発明に係るフラットケーブル巻取り器の第１のタイプで、フラットケーブルをフラットケーブル巻取り器に引込むのに必要な張力とフラットケーブルの長さとの関係を示す特性図である。
【図１８】本発明の対象とするフラットケーブル巻取り器で巻き芯からフラットケーブルを引出した状態を示す平面図である。
【図１９】本発明の対象とするフラットケーブル巻取り器で巻き芯にフラットケーブルを巻取った状態を示す平面図である。
【符号の説明】
１  巻取り器筐体
２  巻き芯
３  フラットケーブル
４  フラット導体
５  フラット絶縁被覆
６  拡径手段
【図１】
2004173379.tif 000003
【図２】
2004173379.tif 000004
【図３】
2004173379.tif 000005
【図４】
2004173379.tif 000006
【図５】
2004173379.tif 000007
【図６】
2004173379.tif 000008
【図７】
2004173379.tif 000009
【図８】
2004173379.tif 000010
【図９】
2004173379.tif 000011
【図１０】
2004173379.tif 000012
【図１１】
2004173379.tif 000013
【図１２】
2004173379.tif 000014
【図１３】
2004173379.tif 000015
【図１４】
2004173379.tif 000016
【図１５】
2004173379.tif 000017
【図１６】
2004173379.tif 000018
【図１７】
2004173379.tif 000019
【図１８】
2004173379.tif 000020
【図１９】
2004173379.tif 000021